(57)【要約】      （修正有）【課題】薫香片から直接大気中へ薫香が発散されるとともに、和紙を介して金封全体に薫香が広がるようにした薫香金封の提供。【解決手段】薫香片７を両側から和紙でサンドイッチした１４０〜１７０°の中心角をなす飾り扇子３と、１０〜４０°の勾配角度をもってZ字状に折返された和紙製台紙の左右両側および上下両端が折り曲げられて角形に形成された、斜めのポケット６を有する袋本体２とからなる金封１であって、前記ポケットの深さは、当該飾り扇子を当該袋本体のポケットへ収納したときに当該飾り扇子の薫香片の一部が前記ポケットの外側に位置する深さであることを特徴とする。【選択図】図１
2016078866.tif 000002
【特許請求の範囲】
【請求項１】
薫香片（７）を両側から和紙でサンドイッチした飾り扇子（３）と、１０〜４０°の勾配角度をもってZ字状に折返された和紙製台紙（４）の左右両側および上下両端が折り曲げられて角形に形成された、斜めのポケット（６）を有する袋本体（２）とからなる薫香金封（１）であって、前記ポケット（６）の深さは、当該飾り扇子（３）を当該袋本体（２）のポケット（６）へ収納したときに当該飾り扇子（３）の薫香片（７）の一部が前記ポケット（６）の外側に位置する深さであることを特徴とする薫香金封。
【請求項２】
前記台紙（４）が１５〜３０°の勾配角度をもってZ字状に折返されていることを特徴とする請求項1に記載の薫香金封。
【請求項３】
前記飾り扇子（３）が１３０〜１７０°の中心角をなすことを特徴とする請求項１に記載の薫香金封。
【請求項４】
前記飾り扇子（３）の深さが前記飾り扇子（３）の半径の１／４〜１／２であることを特徴とする請求項１に記載の薫香金封。
【発明の詳細な説明】
【技術分野】
【０００１】
本発明は、冠婚葬祭用の金封に関し、例えば、結婚祝い、出産祝い、七五三祝い、新築祝い、入園入学祝いなどの慶事や病気見舞い、災害見舞いなどの弔事に使用される金封に関するものである。
【背景技術】
【０００２】
金封は、冠婚葬祭において金銭を贈る時に金銭を納める折り紙であり、これまで種々のものが創作されてきた。例えば、祝い金を包む慶事用の金封は、一般に祝い金を入れる中袋を収納して折りたたみ、紅白又は金銀の水引きを帯状に結んで形成されている。そして、結婚祝いであれば「寿」の文字を、一般慶事であれば「御祝」の文字を表面に印刷したものが用いられ、あるいはそれらの文字を印刷した短冊を水引きに差しはさみ、表面に表示して用いられている。また、形式は異なるものの弔事用の金封も同様である。
【０００３】
薫香を発する金封もこれまで創作されている。例えば、実開昭６３−２６５７０号公報（後述する特許文献１）の登録請求の範囲には、「厚手和紙にて鶴の図形を表わした適当の大きさの飾り紙（１）を形成し、又別体としてマイクロカプセルの微粒子香（２）の適当量を、通気性和紙小袋（３）内に挿入して芳香体（４）を形成し、その芳香体（４）を、飾り紙（１）の背面に隠れる程度の角形和紙袋（５）内に収容接着して芳香発散体（６）を形成し、その芳香発散体（６）を、飾り紙（１）の背面に隠れるよう一体的に接着した芳香発散装置付鶴形金封飾り」が開示されている。
【０００４】
この薫香を発する金封は、「金封の外観を一段と高めて美しくし、かつ芳香による慶びを惹起させるものである（同公報全文明細書５ページ８〜９行）」ので、「発香源であるマイクロカプセルの微粒子香（２）を、金封の使用時まで消耗させずにおくものである。マイクロカプセルの微粒子香（２）はその侭でおけば消耗せず長く保存できるが粉末に押潰せば発香と共に消耗が始まる。然し発香を開始させても相当長時日に亘り発香を継続するから、慶事期間中に発香を停止するなどの懸念はない（同公報全文明細書７ページ３〜１０行）」とされる。
【０００５】
しかし、この薫香を発する金封は、芳香発散体（６）を飾り紙（１）に一体的に接着しているため、金封を束ねて梱包・移送する場合など、誤ってマイクロカプセルの微粒子香（２）が容易に押しつぶされて発香を開始するおそれがある。また、同公報の第２図に示されるように、芳香を発散させる領域は狭いので、発香源からの強烈な発香がそのまま空間に漂うことになる。
【０００６】
また、Ｚ字状に折りたたむ金封もこれまで創作されている。例えば、実開昭５１−２１６９９号公報（後述する特許文献２）の登録請求の範囲には、「包装紙（1）のポケツト用折込み部（２）の折合せ線（３）（３’）の図柄（６）を揃えて模様が連続する様にして、ボケット（４）を設けた構造とし、図柄により適当な位置に設けられた夫々のポケットに栞，メッセージカード、名刺等をはさみ込み、落ちない様にした栞入れポケット付包装紙」が開示されている。
【０００７】
しかし、同公報の第４図に示されるＺ字状に折りたたまれた構造は、折合せ線（３）（３’）の図柄（６）を揃えるためのもので、「包装紙（１）の折合せ線（３）（３’）を合せて折込み、ポケット（４）の端になる位置に糊しろ（５）を設けて貼り付け（同公報全文明細書２ページ８〜１０行）」るのである。したがって、同公報のＺ字状構造は、糊付けしなければ、ポケット（４）の代用になることはない。
【０００８】
これまでの薫香を発する金封は、上記のように芳香を発散させる領域が狭かった。このため、強力な薫香を使用せざるを得ず、金封を受け取る人によって不快感を生じるという課題がある。
【先行技術文献】
【特許文献】
【０００９】
【特許文献１】実開昭６３−２６５７０号公報に係る全文明細書
【特許文献２】実開昭５１−２１６９９号公報に係る全文明細書
【発明の概要】
【発明が解決しようとする課題】
【００１０】
本発明は、上記課題に鑑みてなされたものであり、薫香片から直接大気中へ薫香が発散されるとともに、和紙を介して金封全体に薫香が広がるようにした薫香金封を提供することを目的とする。
【課題を解決するための手段】
【００１１】
上記の課題を解決するための手段として、本願発明は、薫香片（７）を両側から和紙でサンドイッチした飾り扇子（３）と、１０〜４０°の勾配角度をもってZ字状に折返された和紙製台紙（４）の左右両側および上下両端が折り曲げられて角形に形成された、斜めのポケット（６）を有する袋本体（２）とからなる薫香金封（１）であって、前記ポケット（６）の深さは、当該飾り扇子（３）を当該袋本体（２）のポケット（６）へ収納したときに当該飾り扇子（３）の薫香片（７）の一部が前記ポケット（６）の外側に位置する深さであることを特徴とする。  
【００１２】
また、本発明の好ましい実施態様は以下のとおりである。
記台紙（４）が１５〜３０°の勾配角度をもってZ字状に折返されていることを特徴とする。
【００１３】
また、前記飾り扇子（３）が１３０〜１７０°の中心角をなすことを特徴とする。
【００１４】
また、前記飾り扇子（３）の深さが前記飾り扇子（３）の半径の１／４〜１／２であることを特徴とする。
【００１５】
本発明において、袋本体に斜めのポケットを有することとしたのは、和紙製台紙の左右両側が折り曲げられたとき、斜めのポケットに一定の張力をもたせ、飾り扇子を落ちないようにするためである。一定の張力をもたせるためには、実験の結果から１０〜４０°の勾配角度が必要である。好ましくは１５〜３０°の勾配角度である。
【００１６】
また、本発明において、飾り扇子が落ちないためには、ポケットの深さが深いほどよいが、飾りという美的観点から、飾り扇子の深さは飾り扇子の半径の１／４〜１／２であることが好ましい。
【００１７】
また、本発明において、当該飾り扇子を当該袋本体のポケットへ収納したときに当該飾り扇子の薫香片の一部が前記ポケットの外側に位置する深さであることとしたのは、薫香をできるだけ広い空間に発散させるためである。すなわち、ポケットの外側に位置する薫香片は、その薫香を直接周囲の大気中へ発散する。また、ポケットの内側に位置する薫香片は、その薫香を、当該飾り扇子を押さえつけているポケットの和紙に伝え、金封の表側の空間に発散する。他方、ポケットの裏側に位置する薫香片は、その薫香を金封の和紙を介して裏側の空間に発散する。このため、強力な薫香をしみこませた薫香片であっても、和紙が一種の不織布となるので、薫香を空間的に拡散してやわらげ、やわらかい薫香を長期間保持することができる。
【００１８】
ポケットの外側に飾り扇子の薫香片の一部を出す程度は、使用する薫香の種類や濃度によって適宜定めることができる。
【００１９】
また、本発明において、飾り扇子が慶事の場合は、扇子を大きく開いた１３０〜１７０°の中心角をなすことが好ましい。飾り扇子には鶴や亀などの図柄を描くことができる。
【発明の実施の形態】
【００２０】
次に、図面を参照して本発明の好適な実施形態について詳細に説明する。なお、全図中、同一又は相当部分には同一符号を付し、重複した説明は省略する。
【００２１】
図１ないし図３は本発明による薫香金封（１）の一実施形態を示す図であり、図１は薫香金封（１）の平面図であり、図２は薫香金封（１）の台紙（４）の展開図であり、図３は飾り扇子（３）の平面図である。まず、これらの図に基づいて説明する。
【００２２】
薫香金封（１）は、袋本体（２）と飾り扇子（３）とからなる。袋本体（２）は、１枚の０．１ｍｍ厚の和紙の台紙（４）から構成されている。台紙（４）は、２０°の勾配角度および１３ｍｍの幅をもって２本の平行な直線（５）（５’）によってＺ字状に折り曲げられる。次いで、薫香金封（１）の幅１００ｍｍに左右両側から折り曲げられた後、全長が２００ｍｍとなるように上下両端が折り曲げられる。これにより、飾り扇子（３）を収納するポケット（６）が作られるとともに、全体は角形の袋本体（２）に形成される。ポケット（６）の一端はほぼ中央の位置である。
【００２３】
この袋本体（２）に半径４０ｍｍ、中心角１５０°の飾り扇子（３）が一緒になって薫香金封（１）となる。飾り扇子（３）は、薫香金封（１）のポケット（６）に収納してもよく、別途、使用開始まで、透明な袋（図示しない）に封止しておくこともできる。また、飾り扇子（３）内には、１０ｍｍ×１０ｍｍ×１ｍｍの薫香片（７）、例えば、薫香木片や薫香布片がサンドイッチされており、飾り扇子（３）をポケット（６）に収納したときに対角線状に薫香片（７）の約半分がポケット（６）から顔を出すように構成されている。
【発明の効果】
【００２４】
本発明に係る薫香金封は、以下の効果を有する。
薫香片の芳香が金封の和紙に伝わり、金封の和紙の広い面積から芳香を発することができるので、強力な薫香片であっても、従来より柔らかい芳香を醸しだすことができる効果がある。また、金封自体に斜めのポケットを設けたことにより、接着剤を使用しなくても、飾り扇子を好みの水平位置に置くことができる。
【図面の簡単な説明】
【００２５】
【図１】本発明に係る薫香金封の平面図である。
【図２】本発明に係る薫香金封の袋本体の展開図である。
【図３】本発明に係る飾り扇子の平面図である。
【符号の説明】
【００２６】
１……薫香金封
２……袋本体
３……飾り扇子
４……台紙
５，５’……平行な直線
６……ポケット
７……薫香片
【図１】
2016078866.tif 000003
【図２】
2016078866.tif 000004
【図３】
2016078866.tif 000005